(57)【特許請求の範囲】
【請求項１】
複数のモードに対応できる電子機器において、記憶手段に記憶され前記電子機器が有する各種機能に関するモード毎の設定情報を、表示手段に表示させるための設定画面表示方法であって、
前記表示手段の表示画面を複数の領域に分割して、モード毎の前記設定情報を、分割された前記複数の領域に分けて表示させ、前記複数の領域に表示されている少なくとも1つのモードの設定情報を定める分割表示制御ステップを含むことを特徴とする電子機器における設定画面表示方法。
【請求項２】
操作手段を介して、同一の前記機能に関して、前記複数の領域に分かれて表示されているモード毎の設定情報のうち、任意のモードの設定情報を選択する選択情報が入力されると、前記選択情報に基づいて、表示されている前記設定情報を前記記憶手段に記憶させる設定登録ステップを含むことを特徴とする請求項１記載の電子機器における設定画面表示方法。
【請求項３】
前記設定登録ステップでは、分割された前記複数の領域のうち、操作対象として選択された領域を切り換える際に、切換え直前の前記領域の表示内容に対応する前記設定情報を前記記憶手段に記憶させることを特徴とする請求項２記載の電子機器における設定画面表示方法。
【請求項４】
前記操作手段は、前記各領域の表示内容に対応するモード毎の前記設定情報を前記記憶手段に記憶させるための設定完了キーを有し、前記設定登録ステップでは、前記設定完了キーが選択されたときに、操作対象として選択された前記領域の表示内容に対応する前記設定情報を前記記憶手段に記憶させることを特徴とする請求項２又は３記載の電子機器における設定画面表示方法。
【請求項５】
前記操作手段は、分割された前記各領域の表示画面をそれぞれ独立にスクロールするための複数組のスクロール操作キーを有することを特徴とする請求項２、３又は４記載の電子機器における設定画面表示方法。
【請求項６】
前記機能に関する設定を行うための機能設定メニューを前記表示手段に表示させるメニュー表示制御ステップを含むことを特徴とする請求項１乃至５のいずれか１に記載の電子機器における設定画面表示方法。
【請求項７】
前記機能設定メニューは、階層構造化されて前記記憶手段に記憶され、最下層の機能設定メニューは、同一の機能に関して前記モード毎の設定情報を含むことを特徴とする請求項６記載の電子機器における設定画面表示方法。
【請求項８】
前記分割表示制御ステップでは、複数の前記機能設定メニューを、分割された前記複数の領域に表示させることを特徴とする請求項６又は７記載の電子機器における設定画面表示方法。
【請求項９】
前記設定情報は、前記機能の状態情報、設定値情報若しくは種別情報、又は所定の文字情報を含むことを特徴とする請求項１乃至８のいずれか１に記載の電子機器における設定画面表示方法。
【請求項１０】
複数のモードに対応できる電子機器において、記憶手段に記憶され前記電子機器が有する各種機能に関するモード毎の設定情報を、表示手段に表示させる設定画面表示方法をコンピュータに実行させるための制御プログラムであって、
前記表示手段の表示画面を複数の領域に分割して、モード毎の前記設定情報を、分割された前記複数の領域に分けて表示させ、前記複数の領域に表示されている少なくとも1つのモードの設定情報を定める分割表示制御ステップをコンピュータに実行させることを特徴とする制御プログラム。
【請求項１１】
操作手段を介して、同一の前記機能に関して、前記複数の領域に分かれて表示されているモード毎の設定情報のうち、任意のモード設定情報を選択する選択情報が入力されると、前記選択情報に基づいて、表示されている前記設定情報を前記記憶手段に記憶させる設定登録ステップをコンピュータに実行させることを特徴とする請求項１０記載の制御プログラム。
【請求項１２】
前記設定登録ステップでは、分割された前記複数の領域のうち、操作対象として選択された領域を切り換える際に、切換え直前の前記領域の表示内容に対応する前記設定情報を前記記憶手段に記憶させることを特徴とする請求項１１記載の制御プログラム。
【請求項１３】
前記操作手段は、前記各領域の表示内容に対応するモード毎の前記設定情報を前記記憶手段に記憶させるための設定完了キーを有し、前記設定登録ステップでは、前記設定完了キーが選択されたときに、操作対象として選択された前記領域の表示内容に対応する前記設定情報を前記記憶手段に記憶させることを特徴とする請求項１１又は１２記載の制御プログラム。
【請求項１４】
前記操作手段は、分割された前記各領域の表示画面をそれぞれ独立にスクロールするための複数組のスクロール操作キーを有することを特徴とする請求項１１、１２又は１３記載の制御プログラム。
【請求項１５】
複数のモードに対応でき、各種機能に関するモード毎の設定情報を記憶する記憶手段と、前記設定情報を表示する表示手段とを備えてなる電子機器であって、
前記表示手段の表示画面を複数の領域に分割して、モード毎の前記設定情報を、分割された前記複数の領域に分けて表示させ、前記複数の領域に表示されている少なくとも1つのモードの設定情報を定める分割表示制御手段を備えてなる
ことを特徴とする電子機器。
【請求項１６】
操作手段と、前記操作手段を介して、同一の前記機能に関して、前記複数の領域に分かれて表示されているモード毎の設定情報のうち、任意のモードの設定情報を選択する選択情報が入力されると、前記選択情報に基づいて、表示されている前記設定情報を前記記憶手段に記憶させる設定登録手段とを備えてなることを特徴とする請求項１５記載の電子機器。
【請求項１７】
前記設定登録手段は、分割された前記複数の領域のうち、操作対象として選択された領域を切り換える際に、切換え直前の前記領域の表示内容に対応する前記設定情報を前記記憶手段に記憶させることを特徴とする請求項１６記載の電子機器。
【請求項１８】
前記操作手段は、前記各領域の表示内容に対応するモード毎の前記設定情報を前記記憶手段に記憶させるための設定完了キーを有し、前記設定登録手段は、前記設定完了キーが選択されたときに、操作対象として選択された前記領域の表示内容に対応する前記設定情報を前記記憶手段に記憶させることを特徴とする請求項１６又は１７記載の電子機器。
【請求項１９】
前記操作手段は、分割された前記各領域の表示画面をそれぞれ独立にスクロールするための複数組のスクロール操作キーを有することを特徴とする請求項１６、１７又は１８記載の電子機器。
【発明の詳細な説明】
【技術分野】
【０００１】
この発明は、電子機器における設定画面表示方法、制御プログラム及び電子機器に係り、例えば、折畳み式の携帯電話機において、ユーザが所定の機能を設定するための画面を表示部に表示させる設定画面表示方法、制御プログラム及び電子機器に関する。
【背景技術】
【０００２】
移動中や外出先でも使用可能であるという高い利便性によって、携帯型の電子機器としての携帯電話機が、広く普及してきている。携帯電話機は、通常、本来の通話機能のほか、例えば電子メールの送受信や、インターネットに接続してホームページの閲覧が可能なデータ通信機能、電子カメラによる撮影機能等を有する上に、さらに多機能化が進んでいる。
【０００３】
すなわち、最近は、付属機能の高度化がさらに加速され、地上波デジタル放送の１ＳＥＧ（１セグメント）放送の受信機能や、ゲーム機としての機能を備えた機種も普及してきている。さらに、ＧＰＳ（Global Positioning System）衛星からの信号を受信するＧＰＳ受信機能や、無線ＬＡＮ（Wireless Local Area Network）接続機能も追加されてきている。
【０００４】
このように、携帯電話機には、非常に多くの機能が備えられ、このため、ユーザが操作対象の機能の設定をできるだけ簡単に行なうことができるように、多くの機能を種類別、目的別に分類し、各機能の設定メニューを階層構造化して配置している。
機能の設定メニューでは、１つの動作や機能に対してグループ化されている。例えば、各着信設定画面には、着信時の機能の設定に必要な項目（「着信音量」、「着信音選択」、「着信音ＬＥＤ色」、「マナーモード設定」、「伝言設定」等）がグループ化されて表示されて、この画面において、機能毎に一度に設定が可能なようにされている。
さらに、単一の携帯電話機に対して、複数の電話番号が付与される移動通信サービスでは、使用する電話番号毎に、機能の設定を行うことが可能である。
【０００５】
例として、携帯電話機に、２つの電話番号が付与されている場合に、２つの電話番号に対応する機能がＡモード及びＢモードで実現されるものとし、ユーザによる機能の設定方法として、着信設定方法について、図９を参照して説明する。
電源投入後、表示部に待受画面が表示されている状態で、操作部のメニューキーが押下されると、制御部は、メニュー画面を表示部に表示させる。ここで、待受状態（初期状態）で、表示画面上に、最上位の機能を表す項目を表示させる（例えば、特許文献１等参照。）。メニュー画面には、例えば、「各種設定」、「ユーザデータ」、「電話帳」、「メール」、「データＢＯＸ」、「サービス」等の項目が表示される。
【０００６】
次に、制御部は、表示部の表示画面上に表示されたカーソルを、スクロ−ルキーの操作によって移動させ、メニュー画面の「各種設定」にカーソルが合わせられ、決定キーが押下されると、「各種設定」が選択されたものと判断して（ステップＳＢ１１（図９））、各種設定メニュー画面を表示させる。
各種設定メニュー画面には、例えば、「着信」、「通話」、「発信」、「時計」、「ロック／セキュリティ」、「外部接続」等の項目が表示される。
【０００７】
次に、制御部は、表示画面上に表示されたカーソルを、スクロ−ルキーの操作によって移動させ、各種設定メニュー画面上の「着信」の項目にカーソルが合わせられ、決定キーが押下されると、「着信」が選択されたものと判断する。これにより、着信時の設定画面が起動し（ステップＳＢ１２）、制御部は、Ａモード設定／Ｂモード設定の表示形態選択画面を表示部に表示させる（ステップＳＢ１３）。
【０００８】
制御部は、ステップＳＢ１４で、表示形態選択画面上の「Ａモード」の項目にカーソルが合わせられ、決定キーが押下されると、Ａ設定のためのＡ画面単独表示が選択されたものと判断し、この後、制御部は、設定操作を受け付ける（ステップＳＢ１６）。
制御部は、表示部に表示された表示画面上のカーソルを、スクロ−ルキーの操作によって移動させ、着信設定画面上の例えば、「着信音選択」の項目にカーソルが合わせられ、決定キーが押下されると、「着信音選択」が選択されたものと判断する。制御部は、着信音選択画面を表示させ、複数の着信音のうちの１つが選択される。
制御部は、ステップＳＢ１４で、「Ａモード」以外の選択がなされた場合には、ステップＳＢ１５へ進み、表示形態選択画面上の「Ｂモード」の項目にカーソルが合わせられ、決定キーが押下されると、Ｂ設定のためのＢ画面単独表示が選択されたものと判断する。これ以外の場合は、ステップＳＢ１８へ進む。
【０００９】
制御部は、ステップＳＢ１５で、表示形態選択画面上の「Ｂモード」の項目にカーソルが合わせられ、決定キーが押下されると、Ｂ設定のためのＢ画面単独表示が選択されたものと判断し、この後、制御部は、設定操作を受け付ける（ステップＳＢ１７）。
制御部は、ステップＳＢ１６又はステップＳＢ１７で、設定操作がなされ、設定完了キーが選択されると、設定内容を記憶部に記憶させ、設定登録完了とする（ステップＳＢ１８）。
【００１０】
しかしながら、上述したような多機能化に対応して、設定項目は、多岐に亘り、かつ、細かく場合分けされているために、ユーザにとっては、同様な内容の設定を繰り返すこともしばしばあり、設定操作は大変煩雑で手間がかかっていた。
【００１１】
したがって、ユーザは、数多くの設定を慎重に実行しなければならず、このことが、設定操作に関してユーザに難解な印象を与え、折角の機能を使いこなせない原因ともなっていた。
特に、単一の携帯電話機に対して、複数の電話番号が付与される移動通信サービスでは、使用する電話番号毎に、ユーザが機能の設定を行わなければならない。この場合には、設定操作は一段と大変煩雑で手間や時間がかかってしまう。
【００１２】
このため、複数の機能を、同一画面に表示させて、一括して設定又は解除（オン／オフ）する技術が提案されている（例えば、特許文献２等参照。）。しかしながら、必ずしも、設定／解除のみでなく、数種類の設定値から選択しなければならない場合もある（例えば、着信設定では、着信音量、着信音、着信ＬＥＤ色等）ため、この技術の適用可能範囲は限定される。
【００１３】
また、切換表示される複数のメニュー画面に共通する選択項目を、操作部の特定のキーの操作によって、同時に選択可能とする技術が提案されている（例えば、特許文献３等参照。）。しかしながら、この技術では、設定項目の間で設定内容の比較をしたい場合には、画面を切り換えて確認しなければならない。
【００１４】
また、表示画面に操作誘導欄を設け、操作部に操作誘導欄に対応するボタンを配置し、操作ステップ毎に、操作誘導欄に、選択可能な操作項目を示す誘導情報を表示させる技術が提案されている（例えば、特許文献４等参照。）。しかしながら、この技術では、複数の設定内容を同時に表示させることはできない。
【特許文献１】特開２００６−０２４９７０号公報
【特許文献２】特開２００２−１９０８５２号公報
【特許文献３】特開２０００−２３１４３３号公報
【特許文献４】特開２０００−１０５６４８号公報
【発明の開示】
【発明が解決しようとする課題】
【００１５】
解決しようとする第１の問題点は、上記した技術では、機能の設定操作が煩雑であり、手間や時間がかかるという点である。
すなわち、ユーザにとっては、同様の設定を何度も行わなければならない場合があり、時間がかかる。また、ユーザが設定操作に多くの時間を要するほかに、装置にとっても、別々に設定画面を表示させて設定処理を行うことにより、無用な時間を費やすことにもなる。
【００１６】
また、第２の問題点は、上記した技術では、機能の設定を正確かつ確実に行うことが困難であるという点である。
すなわち、設定項目が多岐に亘るために、同様な設定が必要な場合に、設定忘れや誤りが生じ易い。
特に、同様な設定項目が、別々のグループに分類されているような場合では、グループ毎に設定を完了させて、別の設定を行うときに、設定済みの内容を覚えておく必要があり、面倒なばかりでなく、設定誤りに繋がる。
【００１７】
この発明は、上述の事情に鑑みてなされたもので、容易かつ迅速に機能の設定操作を行うことができる電子機器における設定画面表示方法、制御プログラム及び電子機器を提供することを第１の目的としている。
また、正確かつ確実に機能の設定を行うことができる電子機器における設定画面表示方法、制御プログラム及び電子機器を提供することを第２の目的としている。
【課題を解決するための手段】
【００１８】
上記課題を解決するために、この発明の第１の構成は、複数のモードに対応できる電子機器において、記憶手段に記憶され上記電子機器が有する各種機能に関するモード毎の設定情報を、表示手段に表示させるための設定画面表示方法に係り、上記表示手段の表示画面を複数の領域に分割して、モード毎の上記設定情報を、分割された上記複数の領域に分けて表示させ、上記複数の領域に表示されている少なくとも1つのモードの設定情報を定める分割表示制御ステップを含むことを特徴としている。
【００１９】
また、この発明の第２の構成は、複数のモードに対応できる電子機器において、記憶手段に記憶され上記電子機器が有する各種機能に関するモード毎の設定情報を、表示手段に表示させる設定画面表示方法をコンピュータに実行させるための制御プログラムに係り、上記表示手段の表示画面を複数の領域に分割して、モード毎の上記設定情報を、分割された上記複数の領域に分けて表示させ、上記複数の領域に表示されている少なくとも1つのモードの設定情報を定める分割表示制御ステップをコンピュータに実行させることを特徴としている。
【００２０】
また、この発明の第３の構成は、複数のモードに対応でき、各種機能に関するモード毎の設定情報を記憶する記憶手段と、上記設定情報を表示する表示手段とを備えてなる電子機器に係り、上記表示手段の表示画面を複数の領域に分割して、モード毎の上記設定情報を、分割された上記複数の領域に分けて表示させ、上記複数の領域に表示されている少なくとも1つのモードの設定情報を定める分割表示制御手段を備えてなることを特徴としている。
【発明の効果】
【００２１】
この発明の構成によれば、表示手段の表示画面を複数の領域に分割して、記憶手段に記憶され電子機器が有する機能に関し、互いに異なる複数の設定情報を、それぞれ、分割された複数の領域に表示させるので、容易かつ迅速に機能の設定操作を行うことができる。
また、表示手段の表示画面を複数の領域に分割して、記憶手段に記憶され電子機器が有する機能に関し、互いに異なる複数の設定情報を、それぞれ、分割された複数の領域に表示させるので、正確かつ確実に機能の設定を行うことができる。
【発明を実施するための最良の形態】
【００２２】
表示手段の表示画面を複数の領域に分割して、記憶手段に記憶され電子機器が有する機能に関し、互いに異なる複数の設定情報を、それぞれ、分割された複数の領域に表示させるので、容易かつ迅速に機能の設定操作を行うという第１の目的を実現した。
また、表示手段の表示画面を複数の領域に分割して、記憶手段に記憶され電子機器が有する機能に関し、互いに異なる複数の設定情報を、それぞれ、分割された複数の領域に表示させるので、正確かつ確実に機能の設定を行うという第２の目的を実現した。
【実施例１】
【００２３】
図１は、この発明の第１の実施例である携帯電話機の構成を示す平面図、図２は、同携帯電話機の構成を示すブロック図、図３は、同携帯電話機の動作を説明するための処理手順図、また、図４乃至図７は、同携帯電話機の動作を説明するための説明図である。
この例の電子機器としての携帯電話機１は、図１に示すように、折畳可能な筐体を備えると共に、本来の通話機能のほか、例えばインターネットに接続してホームページの閲覧や電子メールの送受信が可能なデータ通信機能を有し、表示部３が設けられた上部ユニット４と、操作部５が設けられた下部ユニット６とが、折畳可能なようにヒンジ部７で相互に結合されて構成されている。
【００２４】
携帯電話機１は、図２に示すように、当該携帯電話機本体の構成各部を制御する制御部８と、制御部８が実行する処理プログラムや各種データ等を記憶するための記憶部９と、アンテナ１１を介して無線電波の送受信を行い、所定のプロトコルに従って通話やデータ通信を行うために用いられる無線通信部１２と、例えば、機能設定画面や、受信したホームページや電子メールの内容等が表示される表示部３と、数字や文字の入力操作等を行うための多数の各種操作キー等からなる操作部５と、例えば着信時に着信音を出力する音声出力部１３と、送話音声を入力するマイクロフォンからなる送話部１４と、受話音声を出力するスピーカからなる受話部１５と、例えば周囲の風景や人物等を撮影する電子カメラ部１６と、着信時等に発光する例えば赤色ＬＥＤ、緑色ＬＥＤ及び青色ＬＥＤからなる発光部１７と、振動によって着信を通知するバイブレータ１８とから概略構成されている。
【００２５】
携帯電話機１において、操作部５からのキー入力により、各機能の設定がなされ、ユーザの嗜好等に応じてカスタマイズされる。
また、この携帯電話機１には、例えば２つの電話番号が付与されて、移動通信サービスが提供されるものとする。この場合、電話番号毎に独立に機能の設定が行われ、一方の電話番号に付随する機能（以下、Ａモードという。）と、他方の電話番号に付随する機能（以下、Ｂモードという。）とについて設定がなされる。
また、この例では、表示部３は、表示機能と共に、操作機能の一部も兼ね備えている。
なお、上部ユニット４の表示画面の上方のカメラレンズに対応する部位には、撮影窓１９が形成されている（図１参照）。
【００２６】
制御部８は、ＣＰＵ（Central Processing Unit）等を有してなり、記憶部９に記憶された制御プログラムに従って、機能設定制御処理や、通信制御処理等を実行する。
機能設定制御処理は、分割表示設定制御処理と、非分割表示設定制御処理とを含んでいる。分割表示設定制御処理では、表示部３の表示画面を２分割表示させて、Ｂモードの設定情報を参照してＡモードの設定を行う場合と、Ａモードの設定情報を参照してＢモードの設定を行う場合と、Ａモードの設定及びＢモードの設定を同時に行う場合とで、所定の機能の設定を行うことが可能である。
また、非分割表示設定制御処理では、分割させずに全画面表示させて、Ａモードの設定を行う場合と、Ｂモードの設定を行う場合とで、所定の機能の設定を行うことが可能である。
【００２７】
機能設定制御処理では、図２に示すように、操作部５の操作によって、所定のキー信号（操作信号）ｐが制御部８に入力されると、制御部８は、記憶部９にメモリ制御信号ｑを出力し、記憶部９との間でメモリ情報ｒの授受を行う。すなわち、制御部８は、記憶部９からメモリ情報ｒとしての画面情報や設定情報を読み出したり、記憶部９へ設定情報を書き込むように制御する。
制御部８は、記憶部９から画面情報や設定情報を読み出すと、表示情報ｓとして表示部３に表示制御信号ｔとともに出力する。
【００２８】
分割表示設定制御処理で、表示形態選択画面が表示部３に表示されている状態で、制御部８は、操作部５からキー信号ｐとしての分割表示選択操作信号の入力を認識すると、表示部３に表示制御信号ｔとして分割表示制御信号を出力し、記憶部９に着信設定画面の画面情報を読み出すためのメモリ制御信号ｑを出力する。
制御部８は、記憶部９から画面情報を受け取ると、着信設定画面を表示させるための表示情報ｓを表示部３に出力すると同時に、キー信号ｐの割り付けを切り換える。
【００２９】
分割表示が選択された場合には（マルチ画面表示中には）、例えば、テンキー群３１のうちの数字キーにも、スクロール機能のマトリックスが割り当てられ、制御部８は、例えば、テンキー群３１のうちの数字キーとしての「１」キー、及び「７」キーを、非アクティブ画面において、カーソルを、それぞれ、上下に移動させるためのキーとして認識する。
なお、制御部８は、アクティブ画面においては、スクロールキー群３４のうちの上スクロールキー３４ａ、及び下スクロールキー３４ｂを、カーソルを、それぞれ、上下に移動させるためのキーとして認識する。
【００３０】
制御部８は、分割表示設定制御処理で、分割表示選択操作信号の入力によって、表示部３の表示画面を複数の領域に分割し、各分割領域に、それぞれ、記憶部９から読み出した別の設定情報を表示させる。この例では、制御部８は、表示部３の着信設定画面を２分割し、Ａモードの設定情報と、Ｂモードの設定情報とを分割して同時に表示させる（マルチ画面表示させる）。
すなわち、制御部８は、表示形態選択画面上で「Ａモード／Ｂモード」が選択された場合に、主表示領域２２を左右に２分割し、右側表示領域２２ａにＡモードの設定画面を表示させ、左側表示領域２２ｂにＢモードの設定画面を表示させる。
【００３１】
この例の分割表示設定制御処理では、Ａ画面とＢ画面とでのアクティブ表示の切換えは、例えば、スクロ−ルキー群３４のうち、左スクロ−ルキー３４ｃ及び右スクロ−ルキー３４ｄを用いて行われる。
例えば、右スクロ−ルキー３４ｄが押下されると、制御部８は、Ａモード設定が選択されたものと判断して、Ａ画面をアクティブ表示とし、Ａモードの設定変更が開始される。また、左スクロ−ルキー３４ｃが押下されると、制御部８は、Ｂモード設定が選択されたものと判断して、Ｂ画面をアクティブ表示とし、Ｂモードの設定変更が開始される。
【００３２】
また、制御部８は、分割表示設定制御処理で、例えば、分割表示された着信設定画面（Ａ画面）上に表示されたカーソルを、上スクロ−ルキー３４ａ及び下スクロ−ルキー３４ｂの操作によって移動させ、着信設定画面上の「着信音選択」の項目にカーソルが合わせられ、決定キーが押下されると、図７に示すように、着信音選択画面を表示させる。
制御部８は、着信音選択画上に表示されたカーソルを、上スクロ−ルキー３４ａ及び下スクロ−ルキー３４ｂの操作によって移動させ、複数の着信音のうちの１つ、例えば、「着信音２」の項目にカーソルが合わせられ、決定キー３５が押下されると、「着信音２」が選択される。
この状態で左スクロ−ルキー３４ｃが押下されると、制御部８は、Ａ画面からＢ画面への切換えによって、メモリ制御信号ｑとしての書込制御信号を記憶部９に出力し、着信音として選択された「着信音２」を設定情報として、記憶部９に記憶させ、Ａモードの設定を完了し、かつ、Ｂモード設定が選択されたものと判断して、Ｂ画面をアクティブ表示とさせて、Ｂモードの設定を開始する。
【００３３】
また、非分割表示設定制御処理で、制御部８は、表示形態選択画面上の「Ａモード」の項目にカーソルが合わせられ、決定キー３５が押下されると、Ａ設定のためのＡ画面単独表示が選択されたものと判断し、この後、制御部８は、設定操作を受け付ける。
【００３４】
また、制御部８は、表示形態選択画面上の「Ｂモード」の項目にカーソルが合わせられ、決定キー３５が押下されると、Ｂ設定のためのＢ画面単独表示が選択されたものと判断し、この後、制御部８は、設定操作を受け付ける。
また、制御部８は、設定操作後、設定完了キー２８が選択されると、設定内容を記憶部９に記憶させ、設定登録完了とする。
【００３５】
記憶部９は、ＲＯＭ、ＲＡＭ等の半導体メモリ等からなり、制御部８が実行するメーラやブラウザ、機能設定制御処理プログラム等の各種制御プログラム等が記憶されたプログラム記憶部と、各機能の設定情報や、階層構造化されたメニュー画面情報、電話帳情報、通信履歴情報、受信及び送信した電子メールに関する情報等の各種情報が記憶された情報記憶部とを有してなっている。
ここで、設定情報は、それぞれ、ユーザによって設定され互いに独立したＡモードの設定情報と、Ｂモードの設定情報とを含んでいる。
【００３６】
無線通信部１２は、ＲＦ回路や、変復調回路、ベースバンド処理回路等からなり、音声やデータを変調してアンテナ１１を介して無線電波として送信すると共に、無線電波をアンテナ７を介して受信して音声やデータに復調し、所定のプロトコルに従って通話やデータ通信を行うために用いられる。
【００３７】
表示部３は、液晶ディスプレイ等からなり、文字や画像を表示するために用いられ、例えば、設定画面や、作成画像、受け取った電子メールの内容、メール作成画面、メールリスト、メッセージ等を表示する。
設定時の表示画面には、図１に示すように、上部表示領域２１と、必要に応じて分割表示される主表示領域２２と、下部表示領域２３とが配置される。
上部表示領域２１には、現在の日付け及び時刻、電波受信レベル、電池電圧レベル、圏外表示マーク等が配置される。
【００３８】
主表示領域２２には、表示形態選択画面で、「Ａモード／Ｂモード」が選択された場合、主表示領域２２が左右に２分割され、右側表示領域２２ａにＡモードの設定画面が表示され、左側表示領域２２ｂにＢモードの設定画面が表示される。
【００３９】
また、表示形態選択画面で、「Ａモード」が選択された場合に、主表示領域２２全体に、Ａモードの設定画面が表示される。
また、表示形態選択画面で、「Ｂモード」が選択された場合に、主表示領域２２全体に、Ｂモードの設定画面が表示される。
また、下部表示領域２３には、「設定完了」キー２８が配置される。
【００４０】
操作部５は、図１に示すように、例えば、数字等を入力するためのテンキー群３１と、表示部３に表示された表示画面上のカーソルを上下左右方向へ移動させるためのスクロールキー群３４と、操作を決定するために用いられる決定キー３５と有している。
スクロールキー群３４は、上スクロールキー３４ａと、下スクロールキー３４ｂと、左スクロールキー３４ｃと、右スクロールキー３４ｄとからなっている。
このほか、操作メニューを表示させるためのメニューキー、音声通話を行うために用いる通話開始キー、操作を１つ前の状態へ戻すクリアキー、電源の入切りを行ったり各種操作を中止するために用いられる電源キー、メーラを起動させるためのメールモード選択キー、文字入力モードを切り換えるための入力モード切替えキー、ブラウザを起動させてホームページを閲覧するためのブラウザモード選択キー等が配置される。
【００４１】
次に、図３乃至図７を参照してこの例の携帯電話機１の動作について説明する。
以下、携帯電話機１に２つの電話番号が付与され、一方の電話番号に付随する機能（Ａモード）と、他方の電話番号に付随する機能（Ｂモード）とについて設定を行う場合につて述べる。例として、着信時の設定を行う場合について説明する。
【００４２】
電源投入後、表示部３に待受画面が表示されている状態で、操作部５のメニューキーが押下されると、図４に示すように、制御部８は、メニュー画面を表示部３に表示させる。ここで、待受状態（初期状態）で、表示画面上に、最上位の機能を表す項目を表示させる。メニュー画面には、例えば、「各種設定」、「ユーザデータ」、「電話帳」、「メール」、「データＢＯＸ」、「サービス」等の項目が表示される。
【００４３】
次に、制御部８は、表示部３の表示画面上に表示されたカーソルを、上スクロールキー３４ａ、及び下スクロールキー３４ｂの操作によって移動させ、メニュー画面の「各種設定」にカーソルが合わせられ、決定キー３５が押下されると、図５に示すように、「各種設定」が選択されたものと判断して（ステップＳＡ１１（図３））、各種設定メニュー画面を表示させる。
各種設定メニュー画面には、例えば、「着信」、「通話」、「発信」、「時計」、「ロック／セキュリティ」、「外部接続」等の項目が表示される。
【００４４】
次に、制御部８は、表示画面上に表示されたカーソルを、上スクロールキー３４ａ、及び下スクロールキー３４ｂの操作によって移動させ、各種設定メニュー画面上の「着信」の項目にカーソルが合わせられ、決定キー３５が押下されると、「着信」が選択されたものと判断する。
これにより、着信時の設定画面が起動し、制御部８は、図６に示すように、Ａモード設定／Ｂモード設定の表示形態選択画面を表示部３に表示させる（ステップＳＡ１２）。
【００４５】
次に、制御部８は、表示画面上に表示されたカーソルを、上スクロールキー３４ａ、及び下スクロールキー３４ｂの操作によって移動させ、表示形態選択画面上の「Ａモード／Ｂモード」の項目にカーソルが合わせられ、決定キー３５が押下されると、Ａ画面とＢ画面とでの分割表示が選択されたものと判断し（ステップＳＡ１３）、マルチ画面を起動させる（ステップＳＡ１６）。
【００４６】
すなわち、操作部５の操作によって、キー信号ｐとしての分割表示操作信号が制御部８に入力されると、制御部８は、表示部３に表示制御信号ｔとしての分割表示制御信号を出力する。
また、制御部８は、記憶部９に着信設定画面の画面情報ｒを読み出すためのメモリ制御信号ｑを出力する。制御部８は、画面情報ｒを受け取ると、着信設定画面を表示させるための表示情報ｓを出力すると同時に、キー信号ｐの割り付けを切り換える。
【００４７】
分割表示が選択された場合には（マルチ画面表示中には）、例えば、テンキー群３１のうちの数字キーにも、スクロール機能のマトリックスが割り当てられ、制御部８は、テンキー群３１のうちの数字キーとしての「１」キー、及び「７」キーを、非アクティブ画面において、カーソルを、それぞれ、上下に移動させるためのキーとして認識する。
なお、制御部８は、アクティブ画面においては、スクロールキー群３４のうちの上スクロールキー３４ａ、及び下スクロールキー３４ｂを、カーソルを、それぞれ、上下に移動させるためのキーとして認識する。
【００４８】
ここで、「Ａモード／Ｂモード」以外の選択がなされた場合には、ステップＳＡ１４へ進み、表示形態選択画面上の「Ａモード」の項目にカーソルが合わせられ、決定キー３５が押下されると、Ａ設定のためのＡ画面単独表示が選択されたものと判断する。
「Ａモード」以外の選択がなされた場合には、ステップＳＡ１５へ進み、表示形態選択画面上の「Ｂモード」の項目にカーソルが合わせられ、決定キー３５が押下されると、Ｂ設定のためのＢ画面単独表示が選択されたものと判断する。これ以外の場合は、ステップＳＡ２７へ進む。
【００４９】
制御部８は、ステップＳＡ１６で、マルチ画面を起動させ、図１に示すように、表示部３に、Ａ画面とＢ画面とでの分割表示を行わせる（ステップＳＡ１７）。すなわち、表示部３は、表示情報ｓが入力されてマルチ画面となり、２つの着信設定画面（Ａ画面及びＢ画面）が並んだ状態で表示される。
この例では、主表示領域２２のうち、右側表示領域２２ａにＡ画面が表示され、左側表示領域２２ｂにＢ画面が表示される。
ここで、分割表示された各着信設定画面（Ａ画面及びＢ画面）には、それぞれ、図１に示すように、着信時の着信音量を設定するための「着信音量」、着信音の種類を選択するための「着信音選択」、着信時に点灯するＬＥＤの色を選択するための「着信音ＬＥＤ色」、「マナーモード設定」、「伝言設定」等の項目が表示される。
【００５０】
各着信設定画面には、着信時の機能の設定に必要な項目がグループ化されて表示されて、この画面において、一度に設定することができる。
この例では、Ａ画面とＢ画面とでのアクティブ表示の切換えは、例えば、スクロ−ルキー群３４のうち、左スクロ−ルキー３４ｃ及び右スクロ−ルキー３４ｄを用いて行われる。
【００５１】
ステップＳＡ１８で、例えば、右スクロ−ルキー３４ｄが押下され、キー信号ｐが入力されると、制御部８は、Ａモード設定が選択されたものと判断して、Ａ画面をアクティブ表示とし（ステップＳＡ１９）、Ａモードの設定変更が開始される。この後、制御部８は、設定操作を受け付ける（ステップＳＡ２０）。なお、ステップＳＡ１８で、Ａ設定が選択されないとき（例えば、右スクロ−ルキー３４ｄが押下されないとき）は、制御部８は、ステップＳＡ２１へ進む。
【００５２】
ステップＳＡ２０で、制御部８は、例えば、分割表示された着信設定画面（Ａ画面）上に表示されたカーソルを、上スクロールキー３４ａ、及び下スクロールキー３４ｂの操作によって移動させ、着信設定画面上の「着信音選択」の項目にカーソルが合わせられ、決定キー３５が押下されると、図７に示すように、着信音選択画面を表示させる。
制御部８は、着信音選択画上に表示されたカーソルを、上スクロールキー３４ａ、及び下スクロールキー３４ｂの操作によって移動させ、複数の着信音のうちの１つ、例えば、「着信音２」の項目にカーソルが合わせられ、決定キー３５が押下されると、「着信音２」が選択される。
【００５３】
次に、ステップＳＡ２１へ進み、左スクロ−ルキー３４ｃが押下され、キー信号ｐが入力されると、制御部８は、Ａ画面からＢ画面への切換えによって、メモリ制御信号ｑとしての書込制御信号を記憶部９に出力し、着信音として選択された着信音２を設定情報として、記憶部９に記憶させ、Ａモードの設定を完了し、かつ、Ｂモード設定が選択されたものと判断して、Ｂ画面をアクティブ表示とさせて（ステップＳＡ２２）、Ｂモードの設定を開始する。
【００５４】
この後、制御部８は、設定操作を受け付ける（ステップＳＡ２３）。なお、ステップＳＡ２１で、Ｂ設定が選択されない場合（例えば、左スクロ−ルキー３４ｃが押下されない場合）は、制御部８は、ステップＳＡ２４へ進む。
ステップＳＡ２３で、制御部８は、例えば、分割表示された着信設定画面（Ｂ画面）上に表示されたカーソルを、スクロ−ルキーの操作によって移動させ、着信設定画面上の「着信音選択」の項目にカーソルが合わせられ、決定キーが押下されると、図７に示すように、着信音選択画面を表示させる。
【００５５】
制御部８は、着信音選択画上に表示されたカーソルを、上スクロールキー３４ａ、及び下スクロールキー３４ｂの操作によって移動させ、複数の着信音のうちの１つ、例えば、「着信音１」の項目にカーソルが合わせられ、決定キーが押下されると、「着信音１」が選択される。
ステップＳＡ１８で、Ａ設定が行われず（例えば、右スクロ−ルキー３４ｄが押下されず）、かつ、ステップＳＡ２１でＢ設定が行われず（例えば、左スクロ−ルキー３４ｃが押下されず）、ステップＳＡ２４で、設定完了キー２８が押下されると、制御部８は、現在選択されているアクティブ状態の画面（ここではＢ画面）での設定情報のみ記憶部９に出力し記憶させて、設定登録了とする。
【００５６】
また、ステップＳＡ１８で、再び、右スクロ−ルキー３４ｄが押下され、キー信号ｐが入力されると、制御部８は、Ｂ画面からＡ画面への切換えによって、記憶部９に書込制御信号としてのメモリ信号を記憶部９に出力し、着信音として選択された着信音１を設定情報として、記憶部９に記憶させ、Ｂモードの設定を完了し、かつ、Ａモード設定が選択されたものと判断して、Ａ画面をアクティブ表示とさせる（ステップＳＡ１９）。
【００５７】
ここで、制御部８は、Ａモードの設定情報は、既に記憶部９に記憶させているので、Ｂモードの設定情報のみ記憶部９に出力し記憶させる。なお、Ａ画面がアクティブ表示とされた状態で、必要に応じてＡモードの設定をし直すことができる。
このように、設定情報を記憶部９に記憶させるためのトリガは、設定完了キー２８の押下動作としても、Ａ画面とＢ画面とでのアクティブ表示の切換動作としても良い。
【００５８】
また、２つのモード（Ａモード及びＢモード）で、設定変更を行なっても、設定情報の記憶は、別々に実行するので、それぞれの設定情報の記憶のための処理時間は、単一モードでの設定情報の記憶のための処理時間と同様である。
【００５９】
上述したように、Ａ画面とＢ画面とでのアクティブ表示の切換えは、例えば、スクロ−ルキー群３４のうち、左スクロ−ルキー３４ｃ及び右スクロ−ルキー３４ｄを用いて行われる。
Ａ画面とＢ画面の両方で設定を行うほか、一方のモードでの設定を行う場合に、他方の設定内容を参照することができる。例えば、Ａ画面で着信音を、「着信音２」に設定する場合に、Ａ画面で着信音選択画面を表示させた後、左スクロ−ルキーの操作によって、Ｂ画面をアクティブ表示として、Ｂ画面で着信音選択画面を表示させて、Ｂ画面で「着信音２」以外の着信音に設定されていることを確認する。
【００６０】
設定完了キー２８を押下する前に、Ａ画面とＢ画面とでのアクティブ表示の切換えを繰り返してから、設定完了キー２８を押下すると（Ａ画面→Ｂ画面に切換え→Ａ画面に切換え→設定完了キーのキー操作を行なった場合に）、制御部８は、Ａ画面とＢ画面とでのアクティブ表示の切換の度に、設定情報を記憶部９に記憶させる。
すなわち、制御部８は、記憶部９に対して、Ａ設定の設定情報の書込制御信号出力→Ｂ設定の設定情報の書込制御信号出力→Ａ設定の設定情報の書込制御信号出力→…という動作を繰り返す。
【００６１】
制御部８は、ステップＳＡ１４で、表示形態選択画面上の「Ａモード」の項目にカーソルが合わせられ、決定キー３５が押下されると、Ａ設定のためのＡ画面単独表示が選択されたものと判断し、この後、制御部８は、設定操作を受け付ける（ステップＳＡ２５）。
【００６２】
また、制御部８は、ステップＳＡ１５で、表示形態選択画面上の「Ｂモード」の項目にカーソルが合わせられ、決定キー３５が押下されると、Ｂ設定のためのＢ画面単独表示が選択されたものと判断し、この後、制御部８は、設定操作を受け付ける（ステップＳＡ２６）。
また、制御部８は、ステップＳＡ２５又はステップＳＡ２６で、設定操作がなされ、設定完了キー２８が選択されると、設定内容を記憶部９に記憶させ、設定登録完了とする（ステップＳＡ２７）。
【００６３】
このように、この例の構成によれば、表示部において、同時に分割表示された例えば同一機能のＡモード及びＢモードの設定内容を見比べて、一方の設定操作を行なう場合に、他方の同様の設定内容を参照しながら、設定操作を行なうことができるので、別々に設定画面を表示させて設定処理を行う場合に比べ、容易かつ迅速に機能の設定操作を行うことができる。
【００６４】
また、表示部に同時に表示された両分割画面の表示内容を明瞭に比較しながら設定内容の変更や、編集、確認等ができるので、機能の設定の見落しや誤りを防止し、正確かつ確実に機能の設定を行うことができる。
例えば、ＡモードとＢモードとで、同一の設定内容になっているべき同様の設定項目で、一致しているか否かの確認を、同時に表示された分割画面を見て、簡単に行うことができる。
【００６５】
また、分割画面の切換えをトリガとして切換え前の分割画面の設定内容を記憶部に記憶させることができる。このため、設定完了キーを押下しなくても設定情報を確実に登録することができる。
また、設定完了キーを押下して、又は画面を切り換えて、設定情報の記憶部への記憶をＡモードとＢモードとで別々に実行するので、２つのモード（Ａモード及びＢモード）で、設定変更を行なっても、それぞれの設定情報の記憶のための処理時間は、単一モードでの設定情報の記憶のための処理時間と略同一である。したがって、ユーザの操作時の煩雑さを低減することができる。
【００６６】
また、例えば、この携帯電話機に対して、２つの電話番号が付与されている場合に、一方の電話番号に係る設定内容のうち、着信音の設定を行う場合に、他方の電話番号に係る設定内容を見比べて、両着信音が異なっていることを確認したり、変更することができる。すなわち、両設定の相違点を容易に知ることができ、似ている場合には、差異を設ける（個性をつける）こともできる。
【００６７】
また、スクロールキーのほかに、テンキーのうち、例えば、「１」、「７」をスクロール用に割り当てることによって、一方の分割画面を選択中に、他方の分割画面をスクロールすることができる。これによって、一方の分割画面で、設定項目を選択しながら、他方の分割画面の所望の箇所を迅速に参照することができる。
また、同一分割画面内では、例えば、スクロールキー群のうち、上スクロールキー及び下スクロールキーを用いて、項目を選択し、決定キーで確定することができ、両分割画面間では、左スクロールキー及び右スクロールキーを用いて、簡単に移動させることができる。
【００６８】
また、例えば、各着信設定画面には、着信時の機能の設定に必要な項目がグループ化されて表示されて、この画面において、機能毎に一度に設定することができる。したがって、多数の機能の設定を容易に行うことができ、ユ−ザは、多機能の携帯電話記を容易に使いこなすことができる。
【実施例２】
【００６９】
図８は、この発明の第２の実施例である携帯電話機の構成を示す平面図である。
この例の構成が上述した第１の実施例の構成と大きく異なるところは、表示画面に切換えキーを配置した点である。
これ以外の構成は、上述した第１の実施例の構成と略同一であるので、第１の実施例と同一の構成要素については、図８において、図１で用いた符号と同一の符号を付して、その説明を簡略にする。
【００７０】
この例の携帯電話機１Ａでは、表示部３Ａは、図８に示すように、液晶ディスプレイ等からなり、文字や画像を表示するために用いられ、例えば、設定画面や、作成画像、受け取った電子メールの内容、メール作成画面、メールリスト、メッセージ等を表示する。
設定時の表示画面には、同図に示すように、上部表示領域２１Ａと、必要に応じて分割表示される主表示領域２２と、下部表示領域２３とが配置される。
上部表示領域２１Ａには、現在の日付け及び時刻、電波受信レベル、電池電圧レベル、圏外表示マーク等のほか、この例では、表示形態選択キー群２４が配置される。表示形態選択キー群２４は、「Ｂ＋Ａ」キー２５と、「Ａ」キー２６と、「Ｂ」キー２７とからなっている。
【００７１】
主表示領域２２には、表示形態選択画面で、「Ａモード／Ｂモード」が選択された場合、又は表示形態選択キー群２４のうち、「Ｂ＋Ａ」キーが指示選択された場合（すなわち、左スクロ−ルキー３４ｃ及び右スクロ−ルキー３４ｄ等によって「Ｂ＋Ａ」キーにカーソルが合わされ、決定キー３５が押下された場合）に、主表示領域２２が左右に２分割され、右側表示領域２２ａにＡモードの設定画面が表示され、左側表示領域２２ｂにＢモードの設定画面が表示される。
【００７２】
また、表示形態選択画面で、「Ａモード」が選択された場合、又は表示形態選択キー群２４のうち、「Ａ」キーが指示選択された場合に、主表示領域２２全体に、Ａモードの設定画面が表示される。
また、表示形態選択画面で、「Ｂモード」が選択された場合、又は表示形態選択キー群２４のうち、「Ｂ」キーが指示選択された場合に、主表示領域２２全体に、Ｂモードの設定画面が表示される。
また、下部表示領域２３には、「設定完了」キー２８が配置される。
【００７３】
この例の構成によれば、上述した第１の実施例と略同様の効果を得ることができる。
加えて、一段と簡単に設定情報を変更することができる。
【００７４】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、縦に２分割する場合について述べたが、横に２分割としても良いし、２分割に限らず、３分割以上としても良い。また、必ずしも等分割に限らない。また、例えば、格子状に分割しても良い。
【００７５】
また、同一の携帯電話機を複数のユーザが共有するようにしても良い。また、Ａモード、及びＢモードでそれぞれ別のユーザが用いる場合に、ユーザ認証情報としての各ユーザのＩＤの入力を設定操作可否の条件としても良い。
また、Ａモード及びＢモードの設定で分割表示させる場合について述べたが、例えば、電話番号への紐付けがない設定項目や、モード間で共通の設定項目で、同様の設定項目について、分割表示させるようにしても良い。
【００７６】
また、電話番号は、２つとは限らず、３つ以上付与されていても良い。すなわち、複数のモードで設定可能としても良い。
また、例として、着信の設定について述べたが、これに限らず、例えば、電話帳の登録機能等で、１つの機能について複数の登録作業（ユーザ設定）を行う場合に、分割表示された画面の内容を比較しながら設定操作を行なうようなときに適用することができる。
【００７７】
また、上下方向（表示画面の長さ方向）のみならず、左右方向（表示画面の幅方向）に沿ってスクロール可能なように構成しても良い。
また、設定画面切換で、Ａモード及びＢモードの設定情報を記憶させる場合に、設定完了キーは必ずしも設けなくても良い。また、一方の設定画面は、参照用として表示のみで変更不可とされていても良い。
【００７８】
また、「Ａモード」、「Ｂモード」、及び「Ａモード／Ｂモード」の設定画面をユーザが選択する場合について述べたが、同様の設定項目があった場合には、自動的に分割表示させても良い。また、関連する箇所を表示させずに、例えば１箇所の変更に合わせて自動的に変更させるように構成しても良い。
【００７９】
また、第１の実施例では、例えば、着信設定画面から分割画面とする場合について述べたが、メニュー画面や、各種設定画面から、Ａモード及びＢモードの設定情報を同時に表示する分割画面としても良い。
【００８０】
また、第１の実施例で、例えば、着信音選択画面で、所定の項目が選択され、決定キーが押下されたときに、設定情報として、記憶部に記憶させるようにしても良い。
また、第１の実施例で、分割表示が選択された場合に、制御部は、例えば、テンキー群のうちの数字キーとしての「２」キー、「８」キー、「４」キー、及び「６」キーを、非アクティブ画面において、カーソルを、それぞれ、上下左右に移動させるためのキーとして認識するようにしても良い。
【００８１】
なお、制御部は、アクティブ画面においては、スクロールキー群のうちの上スクロールキー、下スクロールキー、左スクロールキー、及び右スクロールキーを、カーソルを、それぞれ、上下左右に移動させるためのキーとして認識するようにしても良い。
【００８２】
また、第２の実施例で、「Ａモード」、「Ｂモード」、及び「Ａモード／Ｂモード」の設定画面を省略して、着信設定画面の切換えキーを用いて切り換えるようにしても良い。
また、第２の実施例で、「Ａ」、「Ｂ」、及び「Ｂ＋Ａ」は、スクロールキーで選択しても良いし、例えば、テンキー（数字キー）のうち、「１」キー、「２」キー、及び「３」キーを割り当てるようにしても良い。
【産業上の利用可能性】
【００８３】
携帯型の電子機器としては、携帯電話機のほか、データ通信機能を有するＰＨＳ端末や、ＰＤＡ、携帯型のコンピュータを用いる場合に適用できる。また、携帯型の電子機器のほか、表示部及び操作部を有する据置き型の電子機器を用いる場合に適用できる。
【図面の簡単な説明】
【００８４】
【図１】この発明の第１の実施例である携帯電話機の構成を示す平面図である。
【図２】同携帯電話機の構成を示すブロック図である。
【図３】同携帯電話機の動作を説明するための処理手順図である。
【図４】同携帯電話機の動作を説明するための説明図である。
【図５】同携帯電話機の動作を説明するための説明図である。
【図６】同携帯電話機の動作を説明するための説明図である。
【図７】同携帯電話機の動作を説明するための説明図である。
【図８】この発明の第２の実施例である携帯電話機の構成を示す平面図である。
【図９】関連する技術を説明するための説明図である。
【符号の説明】
【００８５】
１，１Ａ      携帯電話機（電子機器）
３，３Ａ      表示部（表示手段）
５，５Ａ      操作部（操作手段）
８      制御部（分割表示制御手段、設定登録手段）
９      記憶部（記憶手段）
２２      主表示領域（表示画面）
２２ａ      右側表示領域（領域）
２２ｂ      左側表示領域（領域）
２８        設定完了キー
３４ａ      上スクロ−ルキー（スクロール操作キー）
３４ｂ      下スクロ−ルキー（スクロール操作キー）
３４ｃ      左スクロ−ルキー（スクロール操作キー）
３４ｄ      右スクロ−ルキー（スクロール操作キー）
【図１】
0005141138.tif 000002
【図２】
0005141138.tif 000003
【図３】
0005141138.tif 000004
【図４】
0005141138.tif 000005
【図５】
0005141138.tif 000006
【図６】
0005141138.tif 000007
【図７】
0005141138.tif 000008
【図８】
0005141138.tif 000009
【図９】
0005141138.tif 000010